(57)【要約】【課題】容器において、見栄えを悪化させるような突出箇所が無く、スッキリした外観が得られるものであり、また容器自体として、机の引き出し等に対するコンパクトな収納を可能にする。【解決手段】内容器２と、内容器２まわりに外嵌された外容器３とを有し、外容器３は相対回転自在で且つ軸方向に連接された第１、第２の回転操作筒１０，１１を有しており、第１回転操作筒１０と内容器２との両者間に昇降駆動手段２７が設けられ、内容器２にはヒンジ部４を介して揺動開閉自在に設けられた蓋５が設けられている。【選択図】図１
2009173308.tif 000002
【特許請求の範囲】
【請求項１】
内側に内容物の収納凹部（７）が形成された有底円筒形の内容器（２）と、
この内容器（２）まわりに外嵌された外容器（３）とを有し、
外容器（３）は相対回転自在で且つ軸方向に連接された第１、第２の回転操作筒（１０，１１）を有しており、
第１回転操作筒（１０）又は第２回転操作筒（１１）の一方と内容器（２）との両者間には軸方向に沿った昇降ガイド（２０）とこの昇降ガイド（２０）に凹凸係合した状態で上下動自在となるスライダー（２１）とで構成される回り止め手段（２２）が設けられ、
第１回転操作筒（１０）又は第２回転操作筒（１１）の他方と内容器（２）との両者間には周方向に沿いながら傾斜した昇降カム（２５）とこの昇降カム（２５）に誘導されるカム従節部（２６）とで構成される昇降駆動手段（２７）が設けられ、
上記昇降駆動手段（２７）は、外容器（３）における第１、第２回転操作筒（１０，１１）の相対回転で内容器（２）の口部が外容器（３）の上方へ突出する浮上状態と内容器（２）の口部が外容器（３）内へ完全に収納される没下状態とに切替可能になっており、
上記内容器（２）にはヒンジ部（４）を介して揺動開閉自在に設けられた蓋（５）が設けられている
ことを特徴とする容器。
【請求項２】
前記ヒンジ部（４）は、
蓋（５）の下面で突出するヒンジ片（３１）と、
内容器（２）の外周部を凹ませた状態で上記ヒンジ片（３１）を収納可能にするヒンジ片受部（３２）とを有しており、
内容器（２）に対して蓋（５）が閉鎖状態にあるときにはヒンジ片（３１）がヒンジ片受部（３２）に納まって内容器（２）の外周面からの突出が抑えられるようになっており、
前記昇降駆動手段（２７）は、内容器（２）を閉鎖状態となった蓋（５）が外容器（３）内に完全に収納されるまで内容器（２）を没下可能になっていることを特徴とする請求項１記載の容器。
【請求項３】
内容器（２）が外容器（３）から浮上し且つ蓋（５）が内容器（２）を開放した状態から、内容器（２）を外容器（３）内へ没下させるときに、蓋（５）を内容器（２）に対して閉鎖するカム作用が生じるようにヒンジ部（４）のヒンジ片（３１）又は蓋（５）の外周部とが外容器（３）と当接可能になっていることを特徴とする請求項２記載の容器。
【請求項４】
前記ヒンジ部（４）には、内容器（２）に対して蓋（５）を開放方向へ付勢する開きバネ（４０）が設けられていることを特徴とする請求項２又は請求項３記載の容器。
【発明の詳細な説明】
【技術分野】
【０００１】
本発明は、容器に関するものである。
【背景技術】
【０００２】
口紅ケースなどの容器において、外容器が上下に分割されており、これら上下の外容器をひねるように相対逆回転させると、外容器内から内容器と共に内容物（口紅）が突出するようになったものが知られている。多くの場合、外容器には着脱式のキャップが付属されていたが、キャップを紛失するおそれがある。
一方、この種の容器として、外容器の側面から突出させる状態でヒンジ部を設け、このヒンジ部に蓋を取り付けることにより、外容器から内容器が出たり入ったりするための開口部を上記蓋で開閉できるようにしたものも提案されている（例えば、特許文献１等参照）。
【特許文献１】特開平１１−４６８５２号公報
【発明の開示】
【発明が解決しようとする課題】
【０００３】
外容器の側面に突出するヒンジ部を設け、このヒンジ部によって蓋を取り付けるようにした容器では、ヒンジ部の突出位置が外容器の周方向１箇所だけであることから、容器全体が異形状態（ストレートの柱形体とは異なってどこか居心地の悪さを与える形状）となる。そのため、容器に高級イメージを持たせるうえで障害となったり、実質的に見栄えが悪いという問題があった。
またこのように突出するヒンジ部は、外容器を上記した異形状態として大型化させているため、この容器を例えば机の引き出し、小物入れ、棚、バッグなどへ収納する場合にあっては、スペース的な浪費に繋がり、様々な不都合を招来させるものとなっていた。
【０００４】
本発明は、上記事情に鑑みてなされたものであって、見栄えを悪化させるような突出箇所を無くしてスッキリした外観が得られ、また机の引き出し等に対するコンパクトな収納も可能となる容器を提供することを目的とする。
【課題を解決するための手段】
【０００５】
前記目的を達成するために、本発明は次の手段を講じた。
即ち、本発明に係る容器は、内側に内容物の収納凹部が形成された有底円筒形の内容器と、この内容器まわりに外嵌された外容器とを有している。また外容器は第１、第２の回転操作筒を有したものとされ、これら第１、第２の回転操作筒は、相対回転自在で且つ軸方向に連接されたものとなっている。
このうち、第１回転操作筒又は第２回転操作筒の一方と内容器との両者間には、長手方向を軸方向に沿った昇降ガイドと、この昇降ガイドに凹凸係合した状態で上下動自在となるスライダーとで構成される回り止め手段が設けられている。
【０００６】
また第１回転操作筒又は第２回転操作筒の他方と内容器との両者間には、周方向に沿いながら傾斜した昇降カムと、この昇降カムに誘導されるカム従節部とで構成される昇降駆動手段が設けられている。
そして昇降駆動手段は、外容器における第１、第２回転操作筒の相対回転で内容器の口部が外容器の上方へ突出する浮上状態と、内容器の口部が外容器内へ完全に収納される没下状態とに切替可能になっている。
これらに加え、内容器にはヒンジ部を介して揺動開閉自在に設けられた蓋が設けられている。
【０００７】
このように、内容器にヒンジ部を介して蓋が設けられる構成であると、外容器に対して内容器を没下させ、収納状態とさせたとき、ヒンジ部も外容器内へ収納される（平面視したときに外容器の輪郭内に納まるという意味）ことになる。すなわち、外容器において、その外周面でヒンジ部が突出する状態とはならない。
そのため、容器全体をストレートの柱形体に形成させることが可能となり、落ち着いた、品のある外観を持たせることができる。結果、見栄えも良好となり、容器に高級イメージを持たせることなども可能となる。またヒンジ部が突出するものではないので、この容器を例えば机の引き出し、小物入れ、棚、バッグなどへ収納する場合に、スペース的な浪費に繋がることもなく、コンパクトな収納が可能となる。
【０００８】
ヒンジ部は、蓋の下面で突出するヒンジ片と、内容器の外周部を凹ます状態で上記ヒンジ片を収納可能なヒンジ片受部とを有したものとして構成させることができる。
この場合、内容器に対して蓋が閉鎖状態にあるときにはヒンジ片がヒンジ片受部に納まって、内容器の外周面からの突出が抑えられる大きさとする。そして昇降駆動手段は、内容器を閉鎖状態となった蓋が外容器内に完全に収納されるまで内容器を没下可能なものとする。
このような構成を付加すると、外容器に対して内容器を没下させ、収納状態とさせたとき、蓋も外容器内へ没下し、収納される（側面視したときに外容器の高さ内に納まるという意味であり蓋の上面と外容器の上面とが面一である場合及び蓋の上面が外容器の上面から若干陥没する場合を含む）ことになる。
【０００９】
そのため、容器全体の外観として、外容器以外には何ら出っ張りの無い、スッキリした状態にできる。また一層のコンパクト化ができるため、机の引き出しなどに対する収納にも好適となる。
なお、昇降駆動手段は、外容器内に対して内容器を没下させたとき、内容器を閉鎖している蓋をも完全に収納させる構成とするだけでなく、蓋の上面が外容器の上面から若干突出するような構成とすることもできる。
また、蓋は平板状に形成することが限定されるものではなく、例えば蓋の中央部分が上方へ盛り上がるような立体形（亀の甲羅やカマボコ型のような形状等）とすることも可能であり、本発明はこのような蓋の形状を採用することも含み得る。そのため、必ずしも、蓋を外容器内へ没下、収納させること（側面視したときに外容器の高さ内に納めること）だけが外観をスッキリさせるという意味ではない。
【００１０】
内容器が外容器から浮上し且つ蓋が内容器を開放した状態から、内容器を外容器内へ没下させるときに、蓋を内容器に対して閉鎖するカム作用が生じるようにヒンジ部のヒンジ片又は蓋の外周部が外容器と当接する構成を採用することができる。
このようにすると、外容器に対して内容器を没下させ、収納状態とさせるときに、一緒に蓋が閉まって内容器を閉鎖するようになるので、操作性が良好（わざわざ蓋を閉める操作が不要）となる。
ヒンジ部には、内容器に対して蓋を開放方向へ付勢する開きバネを設けておくのが好ましい。
【００１１】
このようにすると、外容器から内容器を浮上させるとき、自動的に蓋が開き、内容器が開放されるようになるので、操作性が良好（わざわざ蓋を開く操作が不要）となる。
【発明の効果】
【００１２】
本発明に係る容器では、見栄えを悪化させるような突出箇所が無く、スッキリした外観が得られるものであり、また容器自体として、机の引き出し等に対するコンパクトな収納も可能となっている。
【発明を実施するための最良の形態】
【００１３】
以下、本発明の実施の形態を、図面に基づき説明する。
［第１実施形態］
図１乃至図８は、本発明に係る容器１の第１実施形態を示している。この容器１は、周壁２ａと底部２ｂとで有底円筒形を呈した内容器２と、この内容器２まわりに外嵌された外容器３とを有しており、内容器２に対し、ヒンジ部４を介して蓋５が揺動開閉自在に設けられている。
内容器２の内側には内容物の収納凹部７が形成されている。内容物は特に限定されるものではなく、例えばパウダーを固形化したものやクリーム状のもの、粉体状や顆粒状のもの、場合によっては液体状のものなど、適宜選択可能である。またこれら内容物に応じて、内容器２の口部形状（取出構造）や外形状、収納凹部７の形状（内径や深さ等）なども適宜変更することができる。
【００１４】
外容器３は第１回転操作筒１０と第２回転操作筒１１とを有している。これら両回転操作筒１０，１１には、互いに係合しあう係合手段１２ａ，１２ｂ（図６参照）が振り分けて設けられており、これら係合手段１２ａ，１２ｂによる係合により、相対回転自在な状態を保持しつつも軸方向では離反不能となるように連接されている。
外容器３において、第１回転操作筒１０と第２回転操作筒１１のうち少なくとも一方に、内容器２をガタツキ無く回転自在で且つ軸移動自在な状態に嵌め入れる嵌合口１５が形成されている。
【００１５】
本第１実施形態では、第１回転操作筒１０に対してその上下を貫通する状態で嵌合口１５が形成されているものとし、この第１回転操作筒１０の内周面と内容器２の外周面とで摺動自在な関係を生じるようになっている。
内容器２の周壁２ａは、底部２ｂよりも更に下方へ突出する状態（収納凹部７を取り囲んでいる部分より下）で裾筒部１６を有したものとされており、その分、内容器２としての外周面が縦方向に延長されたものとなっている。
また第２回転操作筒１１には、内容器２の裾筒部１６に対応させて、この内側に嵌ってガタツキの無い嵌合関係が得られるようにした芯筒１７が設けられている。すなわち、内容器２の周壁２ａは、裾筒部１６における外周面と内周面との両方を、第１回転操作筒１０と第２回転操作筒１１（芯筒１７）とで挟持される状態となる。
【００１６】
これらのことに伴い、内容器２は、外容器３に対してどのような高さ位置にあるときにも、ガタツキを生じないで軸移動できる安定性が確保されている。
なお、図７及び図８から明かなように、内容器２には裾筒部１６の内周面を縦方向に通り抜ける溝状をした昇降ガイド２０が対向２位置（周方向の１８０°位置）に設けられ、第２回転操作筒１１には芯筒１７の外周面を縦方向に通り抜ける凸状をしたスライダー２１が対向２位置（周方向の１８０°位置）に設けられている。
これら昇降ガイド２０とスライダー２１とは、互いにガタツキなく嵌合すると共に、この嵌合状態で軸方向に相対移動自在となっている。これにより、内容器２と第２回転操作筒１１との両者間で、相対回転を阻止するための回り止め手段２２を構成するようになっている。
【００１７】
一方、図６から明かなように、内容器２における周壁２ａの外周面には昇降カム２５が設けられ、第１回転操作筒１０における嵌合口１５の内周面にはカム従節部２６が設けられている。
昇降カム２５は、長手方向を内容器２における外周面の周方向に沿わせつつ傾斜する溝として形成されている。これに対し、カム従節部２６は、昇降カム２５（溝）に嵌る丸ピン状の突起として、嵌合口１５の内周面で突設されたものとしてある。
なお、昇降カム２５を形成する溝は、内容器２の下端縁で下方へ抜ける開放端を有したものとされており、この開放端がカム従節部２６を挿入する組立口２５ａとして利用される。
【００１８】
このような昇降カム２５とカム従節部２６とが嵌合状態とされると、内容器２と第１回転操作筒１０とを相対回転させたとき、昇降カム２５に沿ってカム従節部２６が移動することに伴い、内容器２と第１回転操作筒１０とを相対軸移動させる作用を生じるものとなる。
上記したように、第１回転操作筒１０は係合手段１２ａ，１２ｂにより、第２回転操作筒１１と相対回転自在で且つ軸方向には離反不能な状態に連接されており、また第２回転操作筒１１と内容器２とは回り止め手段２２により、相対回転が阻止されながら相対軸移動は自在な状態に保持されている。
【００１９】
従って、外容器３における第１、第２回転操作筒１０，１１の相対回転で内容器２が上昇したり下降したりすることになる。このように昇降カム２５とカム従節部２６は、内容器２における周壁２ａの外周面と外容器３（第１回転操作筒１０）における嵌合口１５の内周面との周間で、昇降駆動手段２７を構成したものである。
ところで、内容器２の昇降カム２５に組立口２５ａが設けられているため、外容器３において第１回転操作筒１０と第２回転操作筒１１との相対回転角度を無制限なものとしておくと、これら第１、第２回転操作筒１０，１１の相対回転中に、昇降カム２５の組立口２５ａと第１回転操作筒１０のカム従節部２６とが一致してしまい、これら昇降カム２５とカム従節部２６とが脱出してしまうおそれが生じる。
【００２０】
そこで本第１実施形態では、この脱出を防止するため、図６に示すように第１回転操作筒１０にはその下端部から下方へ突出する第１回転制限片５０を設けると共に、図８に示すように第２回転操作筒１１にはその内周面の底部寄りに第２回転制限片５１を設けてある。
これら第１回転制限片５０と第２回転制限片５１とは、第１回転操作筒１０と第２回転操作筒１１とを相対回転させるときに、昇降カム２５の組立口２５ａとカム従節部２６とが一致する前に、（第１、第２回転制限片５０，５１が）互いに係合するように、それぞれ周方向の適切な位置付けで配置されている。
【００２１】
これら第１回転制限片５０と第２回転制限片５１とを設けたことに伴い、内容器２と外容器３とを組み立てる手順は次ぎのようにするとよい。
すなわち、まず、内容器２と第１回転操作筒１０とを、昇降カム２５の組立口２５ａとカム従節部２６とを一致させて組み立て、次に昇降カム２５に沿わせてカム従節部２６を所定量移動（内容器２と第１回転操作筒１０とを適度に相対回転）させ、その後、第１回転操作筒１０と第２回転操作筒１１とを組み立てるようにする。
なお、昇降カム２５とカム従節部２６との組み合わせは、本第１実施形態では内容器２の周方向で１８０°となる位置関係で２組、設けられたものとしてあるが、１組でもよいし、３組以上としてもよい。
【００２２】
昇降カム２５のリード角は、内容器２と第１回転操作筒１０とを半回転ほどさせる範囲内（例えば９０°〜１８０°程の範囲内）で、内容器２の口部（収納凹部７の上端開口）が外容器３の上方へ突出する浮上状態（図１の状態）と内容器２の口部が外容器３内へ完全に収納される没下状態（図３の状態）とに切り替えできるような角度として形成されている。すなわち、これが昇降駆動手段２７による動作量の切替可能範囲となっている。
図６及び図７に示すように、昇降カム２５には、カム従節部２６を最も上方へ誘導した位置（即ち、内容器２を浮上状態にする位置）と、最も下方へ誘導した位置（即ち、内容器２を没下状態にする位置）との２箇所に、溝幅を狭めるように突出する仮止め突起３０Ａ，３０Ｂが設けられている。
【００２３】
そのため、昇降カム２５に沿ってカム従節部２６を移動させた終端位置で、これら仮止め突起３０Ａ，３０Ｂに対してカム従節部２６を乗り越えるようにさせると、カム従節部２６は乗り越えた位置を保持することになり、結果、内容器２の浮上状態や没下状態は、意欲をもって第１、第２の回転操作筒１０，１１を相対回転させない限り、保持されるようになる。
仮止め突起３０Ａ，３０Ｂに対するカム従節部２６の乗り越えは、外容器３における第１、第２回転操作筒１０，１１の相対回転を、該当箇所でやや強めに行えば済むことなので、操作上の負担はない。
【００２４】
ヒンジ部４は、蓋５の下面で突出するヒンジ片３１と、内容器２の外周部を凹ませることにより形成したヒンジ片受部３２とを有し、これらがヒンジ軸３３で相対回転自在に連結されることによって構成されている。
ヒンジ片３１はヒンジ片受部３２内にガタツキなく納まるようになっており、また内容器２に対して蓋５が閉鎖状態にあるとき、ヒンジ部４は、内容器２の外周面からの突出が抑えられるようになっている。
昇降駆動手段２７によって内容器２を上下動させる切替可能範囲のうち、内容器２の没下状態は、内容器２を閉鎖状態となった蓋５及びヒンジ部４が外容器３内に完全に収納されるまで内容器２を没下できる状態までを含むようになっている（図３参照）。
【００２５】
内容器２が外容器３から浮上し且つ蓋５が内容器２を開放した状態にさせると、ヒンジ部４のヒンジ片３１は、その後端（ヒンジ軸３３よりも後方）が内容器２の外周部から突出し、第１回転操作筒１０の上面に当接するようになっている（図１参照）。
そのため、この状態から内容器２を外容器３内へ没下させるようにすると、ヒンジ部４のヒンジ片３１が外容器３の上面に引っ掛かり、この引っ掛かり箇所でヒンジ片３１に上方へ押される作用が生じ、結果、この作用がモーメントとなって蓋５を内容器２に対して閉鎖させる作用へと転用されるようになる。
【００２６】
従って、内容器２が外容器３内へ没下しながら、蓋５が自動的に内容器２を閉鎖するようになる。
以上詳説したところから明かなように、本発明に係る容器１では、外容器３に対して内容器２を没下させ、収納状態とさせたとき、ヒンジ部４も外容器３内へ収納される（平面視したときに外容器３の輪郭内に納まるという意味）。しかも、このとき蓋５及びヒンジ部４も外容器３内へ没下し、収納された状態にある（側面視したときに外容器３の高さ内に納まるという意味）。
【００２７】
すなわち、外容器３の上面は蓋５の上面と略面一であり（完全な面一状態だけでなく蓋５の上面が外容器３の上面から若干陥没している場合を含む）、容器１全体の外観はストレートの柱形体に形成されたものとなっている。なお、蓋５の上面や側面が外容器３の上面から若干突出しているものとしてもよい。
そのため、容器１全体としてスッキリした状態になり、落ち着いた、品のある外観を持たせることができる。結果、容器１の見栄えは良好なものとなり、高級イメージを持たせることも可能となる。
【００２８】
またヒンジ部４が突出するものではないので、この容器１を例えば机の引き出し、小物入れ、棚、バッグなどへ収納する場合に、スペース的な浪費に繋がることもなく、コンパクトな収納が可能となる。
内容物を取り出す場合などは、外容器３の第１回転操作筒１０と第２回転操作筒１１とを相対回転させる。すると、外容器３の上方に内容器２が浮上し、その口部（収納凹部７の上端開口）が外容器３の上方へ突出した状態になる。
内容器２が浮上状態になった後、蓋５を開けば内容物を取り出すことができる。内容器２が外容器３の上方に突出しているので、内容物の視認や取り出しは容易に行える。また、内容器２の口部内縁（収納凹部７における上端開口の内縁部）を内容物の「切れ」に使用することができ、このとき外容器３を汚さないという利点も得られる。
【００２９】
内容物を取り出した後は、外容器３の第１回転操作筒１０と第２回転操作筒１１とを上記とは逆方向に相対回転させる。すると、外容器３に対して内容器２が没下し、完全な収納状態になる。
このとき、ヒンジ部４におけるヒンジ片３１の後端が外容器３の上面に当接するので、蓋５は自動的に内容器２を閉鎖するようになり、操作性が良好（わざわざ蓋５を閉める操作が不要）となる。
［第２実施形態］
図９は、本発明に係る容器１の第２実施形態を示している。本第２実施形態の容器１が上記第１実施形態と最も異なるところは、ヒンジ部４に、内容器２に対して蓋５を開放方向へ付勢する開きバネ４０が設けられている点にある。
【００３０】
この開きバネ４０は、ヒンジ軸に挿通させた状態で２本のバネ脚を、それぞれ蓋５側と容器２側とに対して、トーション作用（ねじりバネ作用）を発生させながら係合させるようにすればよい。
このようにすると、外容器３から内容器２を浮上させる過程で、外容器３の嵌合口１５から蓋５が浮き出た瞬間、自動的に蓋５が開くようになって内容器２が開放されるので、操作性が更に良好（わざわざ蓋５を開く操作が不要）となる。
その他の構成及び作用効果は第１実施形態と略同様である。
［第３実施形態］
図１０及び図１１は、本発明に係る容器１の第３実施形態を示している。本第３実施形態の容器１では、蓋５に対してその外周面から突出する引き込み片４５が突設されており、外容器３における第１回転操作筒１０の内周面には引き込み溝４６が設けられたものとなっている。
【００３１】
引き込み溝４６は、内容器２の外周面を取り囲んで螺旋を描くように傾斜して形成されたものであると共に、第１回転操作筒１０の上面に達して開放端４６ａを形成させるようになっている。
この開放端４６ａが形成されていることで、外容器３の第１回転操作筒１０と第２回転操作筒１１とを相対回転させたときに、外容器３に対して内容器２を没下させてゆく過程で蓋５が閉じたとき、引き込み片４５と引き込み溝４６とが、互いに咬合するようになっている。
【００３２】
引き込み溝４６の傾斜方向とそのリード角は、昇降駆動手段２７の昇降カム２５に付される傾斜方向やリード角と密接に関係付けられており、以下の作用が得られるようにして決められている。
すなわち、上記のように外容器３に対して内容器２を没下させてゆく過程で引き込み片４５と引き込み溝４６とが咬合した後、更に、外容器３の第１回転操作筒１０と第２回転操作筒１１との相対回転を続けると、蓋５にも第１回転操作筒１０に対する没下作用が生じる点である。
【００３３】
このように外容器３に対して内容器２が没下収納され、内容器２を閉鎖した蓋５にも第１回転操作筒１０（即ち、外容器３）への没下作用が生じると、内容器２に対する蓋５の閉鎖度（閉鎖力）が高まるようになる。従って、内容器２の密封性が高まることになる。
このような構成は、内容器２の収納凹部７に詰める内容物として、例えば芳香性、揮発性、清潔性などが重要視される場合に適したものと言える。
［第４実施形態］
図１２は、本発明に係る容器１の第４実施形態を示している。本第４実施形態の容器１では、外容器３の第２回転操作筒１１に、内容器２の裾筒部１６に対してガタツキの無い内嵌状態を得られるようにした立筒５０が設けられており、第１回転操作筒１０及び第２回転操作筒１１の両方に、嵌合口１５が形成されている。
【００３４】
このうち第２回転操作筒１１における嵌合口１５の内周面と内容器２の外周面とが摺動自在な関係を生じるようになっている。
なお、内容器２における周壁２ａの外周面と第１回転操作筒１０における嵌合口１５の内周面との両者間では、昇降ガイド２０とスライダー２１とが振り分けて設けられ、これらによって回り止め手段２２が構成されている。
また内容器２における周壁２ａの外周面と第２回転操作筒１１における嵌合口１５の内周面との両者間では、昇降カム２５とカム従節部２６とが振り分けて設けられ、これらによって昇降駆動手段２７が構成されている。
【００３５】
ところで、本発明は、上記各実施形態に限定されるものではなく、実施の形態に応じて適宜変更可能である。
例えば、蓋５を透明にすることで、内容器２を閉鎖している状態でも外から内容物が見えるようにすることが可能である。
蓋５は平板状に形成することが限定されるものではなく、例えば蓋５の中央部分が上方へ盛り上がるような立体形（亀の甲羅やカマボコ型のような形状、或いは蓋５の中央にツマミ等の突起物を設けた形状等）とすることも可能である。
【００３６】
このように蓋５に立体形を採用した場合、外容器３に対して内容器２を没下させ、収納状態とさせたときに、蓋５は、その外周側面（蓋５における外周端の高さ寸法）が外容器３内へ没下し、収納される（側面視したときに外容器３の高さ内に全部又は一部納まる）状態とし、蓋５の中央の膨らみについては外容器３の上方へ膨出する状態となるようにするのがよい。
その他、蓋５はその中央部分などの一部又は全部が窪んだような立体形とすることも可能である。
【００３７】
回り止め手段２２は、内容器２側をスライダー２１とし、第２回転操作筒１１側を昇降ガイド２０としてもよい。
昇降駆動手段２７は、内容器２側をカム従節部２６とし、外容器３側（第１回転操作筒１０又は第２回転操作筒１１）を昇降カム２５としてもよい。
昇降カム２５は凸レール状のものとしてもよく、カム従節部２６も、凸レールに係合乃至嵌合した状態で移動自在な部材（例えば凹型部分を有するもの又は突起など）として形成することも可能である。従って例えば、昇降カム２５とカム従節部２６とでネジ構造を構成することもできる。
【００３８】
ヒンジ部４において採用する開きバネ４０は、シリコン等の弾性材で形成した中空材や板バネ材により蓋５に対して開放方向へ付勢力を生じさせる構造や、トーション作用（ねじりを復元させる弾性力）を有する軸によってヒンジ軸３３を形成させる構造などに置換することが可能である。
【図面の簡単な説明】
【００３９】
【図１】本発明に係る容器の第１実施形態について内容器の浮上状態であって且つ蓋を開けた状態を示した側断面図である。
【図２】図１の状態から内容器を外容器内へ没下させてゆく過程を示した側断面図である。
【図３】図２の状態から更に内容器を外容器内へ没下させ完全に収納した状態を示した側断面図である。
【図４】図１に対応させた斜視図である。
【図５】図３に対応させた斜視図である。
【図６】本発明に係る容器の第１実施形態を分解して示した斜視図である。
【図７】第１実施形態で採用された内容器を下から見上げた状態で示した斜視図である。
【図８】第１実施形態で採用された内容器を上から見下ろした状態で示した斜視図である。
【図９】本発明に係る容器の第２実施形態について蓋を分解して示した斜視図である。
【図１０】本発明に係る容器の第３実施形態について蓋を開けた状態を示した斜視図である。
【図１１】本発明に係る容器の第３実施形態について蓋を閉じた状態を示した側断面図である。
【図１２】本発明に係る容器の第４実施形態について蓋を開けた状態を示した側断面図である。
【符号の説明】
【００４０】
１    容器
７    収納凹部
２    内容器
３    外容器
４    ヒンジ部
５    蓋
１０    第１回転操作筒
１１    第２回転操作筒
２５    昇降カム
２６    カム従節部
２７    昇降駆動手段
３１    ヒンジ片
３２    ヒンジ片受部
４０    開きバネ
【図１】
2009173308.tif 000003
【図２】
2009173308.tif 000004
【図３】
2009173308.tif 000005
【図４】
2009173308.tif 000006
【図５】
2009173308.tif 000007
【図６】
2009173308.tif 000008
【図７】
2009173308.tif 000009
【図８】
2009173308.tif 000010
【図９】
2009173308.tif 000011
【図１０】
2009173308.tif 000012
【図１１】
2009173308.tif 000013
【図１２】
2009173308.tif 000014